(57)【要約】【課題】確実にレトルト食品を包装し、電子レンジで加熱調理した熱いレトルト食品を安全に取り出す包装用箱を提供する。【解決手段】前面パネル１２と、背面パネル１６、および左右の側面パネル１４，１８からなる胴部を有し、上下を天面パネル４０と底面パネル４２で閉鎖する。前面パネル１２には、破断線５０，５４で区切られた掴み部５２，５６を備え、破断線５０，５４の両端部は、前面パネル１２の一辺に近接し又は交差して、互いに対向して位置する。破断線５０，５４の長手方向の中間部分は、前面パネル１２の中央に向かって環状に形成されている。破断線５０，５４を切断して形成される掴み部５２，５６は、前面パネル１２の一辺を基端部として片持ち状態となり、前面パネル１２の一辺から離れる方に突出するフラップとなる。掴み部５２，５６を内側に押し込んで、前面パネル１２に対向する背面パネル１６に重ね、背面パネル１６との間に収容物９０を挟持する。【選択図】図１
0003218299.tif 000002
【実用新案登録請求の範囲】
【請求項１】
前面パネル、背面パネルおよび左右の側面パネルからなる胴部の上下を天面パネルと底面パネルで閉鎖される包装用箱であって、
前記前面パネルには、破断線で区切られた掴み部が設けられ、前記破断線の両端部は、前記前面パネルの一辺に近接し又は交差して、互いに対向して位置し、前記破断線を切断して形成される前記掴み部は、前記前面パネルの一辺の側を基端部として片持ち状態となって、前記前面パネルの一辺から離れる方に突出するフラップとなり、前記基端部の反対側の先端部分は前記前面パネルに対して揺動可能であり、前記掴み部を前記包装用箱の内側に押し込んで前記前面パネルに対向する前記背面パネルに重ね、前記背面パネルとの間に収容物を挟持することを特徴とする包装用箱。
【請求項２】
前記掴み部は、前記破断線の両端部が前記側面パネルとの間の稜線を超えて前記側面パネルを通過し、前記側面パネルと前記背面パネルとの間の稜線に達し、前記側面パネルと前記背面パネルとの間の稜線を基端部とする片持ち状態のフラップとなる請求項１記載の包装用箱。
【請求項３】
前記掴み部は、前記前面パネルに連続する一対の前記側面パネルに連続する一対の辺に各々１個設けられ、前記掴み部を形成する前記破断線の長手方向の中間部分は、前記前面パネルの中央に向かって環状に形成されている請求項２記載の包装用箱。
【請求項４】
前記包装用箱には、前記掴み片から離間した位置に、収容物を取り出す取出し口を形成する取出口用破断線が設けられている請求項１記載の包装用箱。
【考案の詳細な説明】
【技術分野】
【０００１】
この考案は、レトルト食品を包装する包装用箱に関する。
【背景技術】
【０００２】
従来、加工済み食品をアルミや合成樹脂のパウチに密封し、高温高圧で殺菌したレトルト食品を包装する紙製等の包装用箱がある。この様な包装用箱は、レトルト食品を包装して販売され、レトルト食品を電子レンジで加熱調理する時は、レトルト食品を収容した状態で電子レンジ内のターンテーブル等の所定の位置に載せ、数分間、電子レンジで加熱調理する。加熱調理したレトルト食品を取り出す時は、開封用のジッパー部を切り離して形成した開封口からレトルト食品のパウチを持ち、取り出す。
【先行技術文献】
【特許文献】
【０００３】
【特許文献１】特開２００７−３０８１５２号公報
【特許文献２】特許第５３２７６９７号公報
【考案の概要】
【考案が解決しようとする課題】
【０００４】
上記背景技術の場合、レトルト食品を加熱調理して熱くなったレトルト食品のパウチを、直接触れずに取り出すことは考えられていない。パウチ内の食品には水分が多く、パウチが高温となるため、パウチを直接摘まむと熱くてパウチを落としたり、火傷をするおそれがある。
【０００５】
この考案は、上記背景技術の問題点に鑑みてなされたものであり、確実にレトルト食品を包装し、電子レンジで加熱調理した熱いレトルト食品を安全に取り出す包装用箱を提供することを目的とする。
【課題を解決するための手段】
【０００６】
本考案は、前面パネル、背面パネルおよび左右の側面パネルからなる胴部の上下を天面パネルと底面パネルで閉鎖される包装用箱である。前記前面パネルには、破断線で区切られた掴み部が設けられ、前記破断線の両端部は、前記前面パネルの一辺に近接し又は交差して互いに対向して位置し、前記破断線を切断して形成される前記掴み部は、前記前面パネルの一辺を基端部として片持ち状態となり、前記前面パネルの一辺から離れる方に突出するフラップとなる。前記掴み部の、前記基端部の反対側の先端部分は前記前面パネルから揺動可能であり、前記掴み部を前記包装用箱の内側に押し込んで前記前面パネルに対向する前記背面パネルに重ね、前記背面パネルとの間に収容物を挟持する。
【０００７】
前記掴み部は、前記破断線の両端部が、前記側面パネルとの間の稜線を超えて前記側面パネルを通過し、前記側面パネルと前記背面パネルとの間の稜線に達し、前記側面パネルと前記背面パネルとの間の稜線を基端部とする片持ち状態のフラップとなる。
【０００８】
前記掴み部は、前記前面パネルに連続する一対の前記側面パネルに連続する一対の辺に各々１個設けられ、前記掴み部を形成する前記破断線の長手方向の中間部分は、前記前面パネルの中央に向かって環状に形成されているものである。
【０００９】
前記包装用箱には、前記掴み片から離間した位置に、収容物を取り出す取出し口を形成する取出口用破断線が設けられている。
【考案の効果】
【００１０】
本考案の包装用箱は、確実にレトルト食品を包装し、電子レンジで加熱調理した熱いレトルト食品を安全に取り出すことができる。高温となったレトルト食品のパウチを掴み部と背面パネルで挟持して傾けることにより、熱さを感じずに取出し口からパウチの中身の食品のみを注出することができる。従って、使用者が、加熱調理により高温となったパウチや食品に触れて、パウチを落としたり火傷することがない。
【図面の簡単な説明】
【００１１】
【図１】この考案の一実施形態の包装用箱の使用状態を示す斜視図である。
【図２】この考案の一実施形態の包装用箱の使用状態を示す斜視図である。
【図３】この考案の一実施形態の包装用箱の使用状態を示す斜視図である。
【図４】この考案の一実施形態の包装用箱の展開図である。
【考案を実施するための形態】
【００１２】
以下、この考案の実施形態について図面に基づいて説明する。図１〜図４はこの考案の一実施形態を示すもので、この実施形態の包装用箱１０は、前面パネル１２、背面パネル１６および左右の側面パネル１４，１８からなる胴部の上下を天面パネル４０と底面パネル４２で閉鎖される。
【００１３】
包装用箱１０は、紙製等の一枚のシートを打ち抜いて形成された箱体形成片１１を組み立てて設けられている。図４は箱体形成片１１を表面から見た展開図であり、箱体形成片１１は、前面パネル１２、側面パネル１４、背面パネル１６、側面パネル１８が、互いに平行に、順に連接して形成されている。前面パネル１２の側縁部には、包装用箱１０の組立状態で側面パネル１８の裏面に糊付けされる糊付片２２が設けられている。前面パネル１２、側面パネル１４、背面パネル１６、側面パネル１８は、連接方向と直交する幅方向は互いに等しい矩形であり、連接方向の長さは、前面パネル１２と背面パネル１６が長く、側面パネル１４，１８はそれより短く、包装用箱１０は偏平箱型の形状となる。糊付片２２、前面パネル１２、側面パネル１４、背面パネル１６、側面パネル１８は、各々折罫線２４，２６，２８，３０で区切られて設けられている。
【００１４】
前面パネル１２の、パネル同士の連接方向に対して直角な方向の一方の端部には、矩形の内側天面パネル５８が折罫線６０で区切られて設けられている。前面パネル１２の、折罫線６０とは反対側の端部には、内側天面パネル５８とほぼ同形状の内側底面パネル６２が折罫線６４で区切られて設けられている。折罫線６４には、長手方向の中心を挟んで両側に、前面パネル１２から内側底面パネル６２へ突出するコの字形の切断線で区切られた脚部６６が設けられている。折罫線６０，６４には、折り曲げ易いように破断した切断線が設けられている。
【００１５】
前面パネル１２には、破断線５０で区切られた掴み部５２が設けられている。破断線５０の両方の端部５０ａは、前面パネル１２の一辺である折罫線２４の中央よりも、内側底面パネル６２の折罫線６４に近い位置に、互いに近接し対向して連続している。破断線５０の長手方向の中間部分は、前面パネル１２の、折罫線２４とは反対側の折罫線２６に向かって環状に形成されている。破断線５０を切断して形成される掴み部５２は、折罫線２４を基端部として片持ち状態となり、折罫線２４から離れる方に突出するフラップとなる。従って、基端部とは反対側の先端部分は、前面パネル１２に対して揺動可能であり、掴み部５２を包装用箱１０の内側に押し込んで前面パネル１２に対向する背面パネル１６に重ね、背面パネル１６との間に収容物であるレトルト食品９０を挟持する。
【００１６】
前面パネル１２の、折罫線２４とは反対側の一辺である折罫線２６に、掴み部５２と同形状の掴み部５６が破断線５４で区切られて設けられている。破断線５４は、破断線５０と同形状であり、破断線５４の両方の端部５４ａは、折罫線２６の中央よりも、内側底面パネル６２の折罫線６４に近い位置で、破断線５０に対向する位置で対称に設けられている。
【００１７】
前面パネル１２の、折罫線６４に連接する部分には、廃棄用破断線６８が設けられている。廃棄用破断線６８は、両端部が折罫線６４の両端付近に位置し、廃棄用破断線６８の長手方向の中間付近は折罫線６４から離れて前面パネル１２の中央に向かって膨出する円弧で形成されている。前面パネル１２の、中央よりも折罫線６０に近い位置に、取出口用破断線４８が設けられている。取出口用破断線４８は、折罫線２４と折罫線２６を結ぶ直線であり、折罫線６０に対して平行である。
【００１８】
側面パネル１４の、前面パネル１２の折罫線６０に隣接する部分には、小さい矩形のフラップ７０が折罫線７１で区切られて設けられている。折罫線７１とは反対側の端部には、フラップ７０と同形状のフラップ７２が折罫線７３で区切られて設けられている。側面パネル１４の、折罫線７１に近い位置には、取出口用破断線４８が、前面パネル１２に連続して設けられている。側面パネル１４に位置する取出口用破断線４８は、折罫線２６と折罫線２８を結ぶ直線であり、前面パネル１２に位置する取出口用破断線４８が折罫線２６に交差する位置から、折罫線２８に近づくにつれて折罫線７１に近づくように傾斜している。側面パネル１４の、折罫線７３に近い位置には、前面パネル１２の破断線５４の端部５４ａに連続する一対の破断線５５が設けられている。一対の破断線５５は、折罫線２６と折罫線２８を結ぶ直線であり、折罫線７３に対して平行である。破断線５５を切断して形成される掴み部５６は、折罫線２６から側面パネル１４を通過し、側面パネル１４と背面パネル１６との間の稜線である折罫線２８に達し、折罫線２８を基端部とする片持ち状態のフラップとなる。
【００１９】
背面パネル１６の、側面パネル１４の折罫線７１に隣接する部分には、内側天面パネル５８より少し大きい外側天面パネル７４が折罫線７５で区切られて設けられている。背面パネル１６の、折罫線７５とは反対側の端部には、内側底面パネル６２より少し大きい外側底面パネル７６が折罫線７７で区切られて設けられている。折罫線７７には、長手方向の中心を挟んで両側に、背面パネル１６から外側底面パネル７６へ突出するコの字形の切断線で区切られた脚部６６が設けられている。背面パネル１６の、折罫線７５に近い位置には、取出口用破断線４８が側面パネル１４に連続して設けられている。背面パネル１６に位置する取出口用破断線４８は、折罫線２８と折罫線３０を結ぶ直線であり、折罫線７５に対して平行である。
【００２０】
側面パネル１８の、背面パネル１６の折罫線７５に隣接する部分には、小さい矩形のフラップ７８が折罫線７９で区切られて設けられている。折罫線７９とは反対側の端部には、フラップ７８と同形状のフラップ８０が折罫線８１で区切られて設けられている。側面パネル１８の、折罫線７９に近い位置には、取出口用破断線４８が背面パネル１６に連続して設けられている。側面パネル１８に位置する取出口用破断線４８は、折罫線３０と、折罫線３０とは反対側の側縁部１８ａを結ぶ直線であり、背面パネル１６に位置する取出口用破断線４８が折罫線３０に交差する位置から、側縁部１８ａに近づくにつれて折罫線８１に近づくように傾斜している。側面パネル１８の、折罫線８１に近い位置には、一対の破断線８２が設けられている。破断線８２は、折罫線３０と側縁部１８ａを結ぶ直線であり、折罫線８１に対して平行である。一対の破断線８２は、前面パネル１２の破断線５０の延長線上に位置している。
【００２１】
包装用箱１０の組立状態で、糊付片２２が側面パネル１８の裏面に糊付けされて前面パネル１２と側面パネル１８が互いに連結されると、破断線５０を切断して形成される掴み部５２は、折罫線２４から側面パネル１８を通過し、側面パネル１８と背面パネル１６との間の稜線である折罫線３０に達し、折罫線３０を基端部とする片持ち状態のフラップとなる。
【００２２】
糊付片２２は、側面パネル１８の裏面に糊付けされるもので、側面パネル１８より少し小さい台形状であり、折罫線２４よりも、折罫線２４とは反対側の側縁部２２ａが少し短い。糊付片２２には、取出口用破断線４８が前面パネル１２に連続して設けられている。糊付片２２に位置する取出口用破断線４８は、折罫線２４と側縁部２２ａを結ぶ直線であり、側面パネル１８に位置する取出口用破断線４８と同じ角度で傾斜し、折罫線２４から離れるにつれて前面パネル１２の折罫線６０の延長線に向かって傾斜している。糊付片２２には、前面パネル１２の破断線５０の端部５０ａに連続する一対の破断線８４が設けられている。一対の破断線８４は、折罫線２４と側縁部２２ａを結ぶ直線であり、破断線５０の延長線上に位置している。
【００２３】
次に、この実施形態の包装用箱１０の組立方法について説明する。ここでは、図４が包装用箱１０の箱体形成片１１の表面を見たものであり、箱体形成片１１の表面が凸になる折り方を正折り、そして裏面が凸になる折り方を逆折りと称する。
【００２４】
まず、糊付片２２の表面に糊８５を塗布し、折罫線２６を正折りし、さらに折罫線３０を正折りする。これにより、糊付片２２は側面パネル１８の裏面に糊付けされ、これにより箱体形成片１１は折り畳み状態となり、この折り畳んだ状態で出荷される。次に、収容物を収容し包装する工場等において、折罫線２４，２６，２８，３０を各々９０°に正折りして四角形の筒体にして、筒体の一方の端部で、例えば内側天面パネル５８と外側天面パネル７４を有する端部で、折罫線７１，７９でフラップ７０，７８を正折りし、内側天面パネル５８の表面に糊８６を塗布し折罫線６０で内側天面パネル５８を正折りし、折罫線７５で外側天面パネル７４を正折りし、内側天面パネル５８の表面に外側天面パネル７４の裏面を糊付けして一方の端面を覆う天面パネル４０を形成する。
【００２５】
この状態で、包装用箱１０に収容物であるレトルト食品９０を入れる。なお、レトルト食品９０とは、加工済みの食品９２をアルミや合成樹脂のパウチ９４に密封し、高温高圧で殺菌したものである。パウチ９４は２枚のシートを重ねて周縁部をヒートシールした偏平な形状である。扁平なパウチ９４の面が、前面パネル１２、背面パネル１６に対して平行になるように入れる。そして、他方の端部で、同様に折罫線７３，８１でフラップ７２，８０を正折りし、内側底面パネル６２の表面に糊８７を塗布し、折罫線６４で内側底面パネル６２を正折りし、折罫線７７で外側底面パネル７６を正折りし、内側底面パネル６２の表面に外側底面パネル７６の裏面を糊付けして他方の端面を覆う底面パネル４２も形成し、包装が完了する。
【００２６】
脚部６６は、組立状態で前面パネル１２と背面パネル１６の折罫線６４及び折罫線７７から突出し、各先端縁が面一に位置して外側底面パネル７６から外側に突出する。なお、底面パネル４２側を天面パネル４０よりも先に組み立ててもよく、順番は自由である。また、糊８６，８７を塗布する場所は、内側天面パネル５８と内側底面パネル６２の表面ではなく、外側天面パネル７４と外側底面パネル７６の裏面に塗布してもよい。
【００２７】
包装用箱１０の組立状態では、前面パネル１２、側面パネル１４、背面パネル１６、側面パネル１８を一周して取出口用破断線４８が位置し、レトルト食品９０の中身を取り出す取出し口８８を形成する。側面パネル１８の裏面に糊付けされる糊付片２２にも、側面パネル１８に位置する取出口用破断線４８と重なる取出口用破断線４８が設けられ、円滑に取出口用破断線４８を一周して切断することができる。
【００２８】
次に、この実施形態の包装用箱１０の使用方法について説明する。収容したレトルト食品９０を食す時は、まず、取出口用破断線４８を切断して取出し口８８を開口させ、レトルト食品９０の一部を突出させる。さらに、調理前に、図１に示すように、例えば掴み部５６を押して、破断線５４を切断し、片持ち状態のフラップとなった掴み部５６をさらに押して、側面パネル１４の破断線５５も切断する。掴み部５６は、前面パネル１２と側面パネル１４との間の稜線である折罫線２６を超え、側面パネル１４を通過して、側面パネル１４と背面パネル１６との間の稜線である折罫線２８を基端部とする片持ち状態のフラップとなり、掴み部５６の、基端部の反対側の先端部分は、前面パネル１２と側面パネル１４に対して揺動可能となる。この状態で、図２に示すように電子レンジで所定時間、加熱調理する。
【００２９】
加熱調理後、図１に示すように、掴み部５６を、前面パネル１２に対向する背面パネル１６に重ね、背面パネル１６との間に、レトルト食品９０のパウチ９４の側縁部付近を挟持して、レトルト食品９０の、取出し口８８から突出した部分を切断して開封する。この後、図３に示すように、取出し口８８が下を向くように傾け、中身の食品９２を注出する。
【００３０】
なお、破断線５０，８２を切断して掴み部５２も形成し、一対の掴み部５２，５６を両手で押してパウチ９４の両側の側縁部を保持してもよく、掴み部５２のみを上記のように形成して、調理しても良い。掴み部５２が形成された側面パネル１８の裏面に糊付けされる糊付片２２にも、側面パネル１８の破断線８２と重なる破断線８４が設けられているので、円滑に破断線８２を切断することができる。
【００３１】
使用後に包装用箱１０が不要になると、廃棄用破断線６８を切断して平坦に折り畳み、容易に廃棄することができる。
【００３２】
この実施形態の包装用箱１０によれば、確実にレトルト食品９０を包装し、電子レンジで加熱調理した熱いレトルト食品９０を安全に取り出すことができる。高温となったレトルト食品９０のパウチ９４を、掴み部５２又は５６と、背面パネル１６で挟持して傾けることにより、取出し口８８からパウチ９４の中身の食品９２のみを注出することができる。使用者は、高温のパウチ９４に直接触れることが無く、熱さで落としたり、火傷することがなく、レトルト食品９０を保持する掴み部５２，５６は取出し口８８から離れているため、熱い食品９２を注出する時に不用意に手に付くことが無く、安全である。
【００３３】
なお、この考案の包装用箱は、上記実施の形態に限定されるものではなく、各パネルの形状は、収容物の形状や数に合わせて適宜変更可能である。掴み部の形状や大きさは、人の指のはらを覆うものであればよい。掴み部は２個以外に、３個以上でもよく、１個でも良い。取出し口の位置や形状は、上記以外でも良い。掴み部の基端部は、前面パネルの一辺に位置してもよく、この場合は掴み部の長手方向を長く設定することで掴み部の先端部分を背面パネルに重ねることができる。
【符号の説明】
【００３４】
１０  包装用箱
１１  箱体形成片
１２  前面パネル
１４，１８  側面パネル
１６  背面パネル
２４，２６，２８，３０  折罫線
４８  取出口用破断線
５０，５４，５５，８２，８４  破断線
５０ａ，５４ａ  端部
５２，５６  掴み部
７４  外側天面パネル
７６  外側底面パネル
８８  取出し口
９０  レトルト食品
【図１】
0003218299.tif 000003
【図２】
0003218299.tif 000004
【図３】
0003218299.tif 000005
【図４】
0003218299.tif 000006